【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
印刷データと、当該印刷データの印刷が可能なユーザを識別するユーザ識別情報と当該印刷データを識別する印刷データ識別情報とを含む書誌情報を格納する印刷管理サーバと、前記印刷データの印刷を行う複数の印刷装置とを含む印刷制御システムであって、
前記印刷装置は、
ユーザ識別情報を特定するために、入力された入力情報を受け付ける受付手段と、
前記受付手段で受け付けた入力情報によって得られるユーザ識別情報に従って、前記印刷管理サーバから、前記ユーザ識別情報に対応するユーザが印刷可能な印刷データに関する前記印刷データ識別情報を含む前記印刷データの情報一覧を取得する第１取得手段と、
前記第１取得手段で取得された印刷データの情報一覧で示される印刷データの中から、他のユーザに印刷させることを許可する印刷データを、操作部を介する操作指示に従って、選択する選択手段と、
前記選択手段で選択された印刷データの印刷を許可するユーザのユーザ識別情報を指定する指定手段と、
前記選択手段で選択された印刷データを、前記指定手段で指定されたユーザ識別情報に対応するユーザが、前記複数の印刷装置で印刷可能にするべく、前記選択手段で選択された印刷データの印刷データ識別情報と前記指定手段で指定されたユーザ識別情報とを前記印刷管理サーバに送信する情報送信制御手段と
を有し、
前記印刷管理サーバは、
前記印刷装置で入力された前記入力情報によって得られるユーザ識別情報に従って、前記書誌情報から、前記ユーザ識別情報に対応するユーザが印刷可能な印刷データに関する印刷データ識別情報を含む前記印刷データの情報一覧を前記印刷装置に送信する送信制御手段と、
前記印刷装置から前記選択手段で選択された印刷データの前記印刷データ識別情報と前記指定手段で指定されたユーザ識別情報と、を受信する受信制御手段と、
前記受信制御手段により受信した印刷データ識別情報に対応する印刷データを印刷することが可能なユーザとして、前記受信制御手段により受信したユーザ識別情報を前記書誌情報に登録する登録手段と
を有することを特徴とする印刷制御システム。
【請求項２】
前記第１取得手段で取得した印刷データの情報一覧には、前記受付手段で受け付けられる入力情報を入力したユーザが前記印刷管理サーバに登録した印刷データの情報と、当該ユーザ以外の他のユーザが前記印刷管理サーバに登録した印刷データの情報とが含まれており、
前記印刷装置は、
前記第１取得手段で取得した印刷データの情報一覧を表示する印刷データ一覧表示制御手段を更に有し、
前記印刷データ一覧表示制御手段は、前記他のユーザが前記印刷管理サーバに登録した印刷データの情報を識別可能に表示することを特徴とする請求項１に記載の印刷制御システム。
【請求項３】
前記印刷制御システムは、複数のユーザに関する、前記ユーザ識別情報を含むユーザ情報を管理するユーザ情報管理装置を含み、
前記印刷装置は、
前記ユーザ情報管理装置から前記ユーザ情報の情報一覧を取得する第２取得手段を更に備え、
前記第２取得手段で取得した前記ユーザ情報の情報一覧の中から、前記選択手段で選択した印刷データを転送可能なユーザのユーザ情報を一覧表示するユーザ情報表示制御手段を更に有することを特徴とする請求項２に記載の印刷制御システム。
【請求項４】
前記ユーザ情報には、前記印刷装置の使用制限を定めたユーザ制限情報が含まれており、
前記印刷装置は、
前記選択手段で選択された印刷データを印刷する際に、前記ユーザ識別情報に対応するユーザにおける前記ユーザ制限情報に従って当該印刷の可否を判断する印刷可否判断手段を更に有することを特徴とする請求項３に記載の印刷制御システム。
【請求項５】
前記印刷装置は、
前記選択手段で選択された印刷データが、前記受付手段で受け付けられる入力情報を入力したユーザの印刷データか否かを判断する印刷データ判断手段を更に備え、
前記印刷可否判断手段は、前記印刷データ判断手段により、前記選択手段で選択された印刷データが、前記入力情報を入力したユーザの印刷データであると判断される場合には、前記入力情報を入力したユーザにおける前記ユーザ制限情報に従って、印刷の可否を判断することを特徴とする請求項４に記載の印刷制御システム。
【請求項６】
前記印刷データ一覧表示制御手段で表示される前記他のユーザが前記印刷管理サーバに登録した印刷データは、少なくとも、当該他のユーザの前記ユーザ制限情報に応じた権限で印刷可能である、又は、前記入力情報を入力したユーザの前記ユーザ制限情報に応じた権限で印刷可能であることを特徴とする請求項４又は５に記載の印刷制御システム。
【請求項７】
前記印刷管理サーバは、前記選択手段で選択された印刷データを、前記指定手段で指定されたユーザ識別情報に対応するユーザが、前記複数の印刷装置で印刷可能にするべく、前記受信制御手段で受信される印刷データ識別情報に対応する書誌情報を複製する書誌情報複製手段を更に備え、前記登録手段は、前記書誌情報複製手段で複製された書誌情報に含まれるユーザ識別情報を、前記受信制御手段で受信されるユーザ識別情報に書き換えることを特徴とする請求項１乃至６のいずれか１項に記載の印刷制御システム。
【請求項８】
前記印刷管理サーバは、前記指定手段で指定されたユーザ情報に対応するユーザに、前記選択手段で選択される印刷データを印刷させるべく、前記受信制御手段で受信される印刷データ識別情報に対応する印刷データを複製する印刷データ複製手段を更に備え、
前記登録手段は、前記印刷データ複製手段で複製した印刷データに対応する書誌情報のユーザ識別情報を、前記受信制御手段で受信されるユーザ識別情報に書き換えることを特徴とする請求項１乃至６のいずれか１項に記載の印刷制御システム。
【請求項９】
前記印刷管理サーバは、前記受信制御手段で受信した印刷データ識別情報に対応する印刷データを削除する削除手段を更に備え、
前記削除手段は、前記受信制御手段で受信されるユーザ識別情報に対応する印刷データがすべて印刷された場合に、前記印刷データを削除することを特徴とする請求項７に記載の印刷制御システム。
【請求項１０】
前記印刷装置は、
前記選択手段で選択された印刷データが、前記受付手段で受け付けられる入力情報を入力したユーザが出力した印刷データでない場合には、当該印刷データを、他のユーザに出力させることができないことを通知する通知手段を更に備えることを特徴とする請求項１乃至９のいずれか１項に記載の印刷制御システム。
【請求項１１】
前記ユーザ情報管理装置は、前記印刷装置内に含まれることを特徴とする請求項３に記載の印刷制御システム。
【請求項１２】
前記印刷管理サーバは、前記印刷データを格納するプリントサーバと、前記書誌情報の
管理を行う管理サーバと、複数のユーザに関する、ユーザ識別情報を含むユーザ情報を格納するユーザ情報管理装置を含むことを特徴とする請求項３に記載の印刷制御システム。
【請求項１３】
印刷データと、当該印刷データの印刷が可能なユーザを識別するユーザ識別情報と当該印刷データを識別する印刷データ識別情報とを含む書誌情報を格納する印刷管理サーバと通信可能に接続された印刷装置であって、
ユーザ識別情報を特定するために、入力された入力情報を受け付ける受付手段と、
前記受付手段で受け付けた入力情報によって得られるユーザ識別情報に従って、前記印刷管理サーバから、前記ユーザ識別情報に対応するユーザが印刷可能な印刷データに関する印刷データ識別情報を含む前記印刷データの情報一覧を取得する取得手段と、
前記取得手段で取得された印刷データの情報一覧で示される印刷データの中から、他のユーザに印刷させることを許可する印刷データを、操作部を介する操作指示に従って、選択する選択手段と、
前記選択手段で選択された印刷データの印刷を許可するユーザのユーザ識別情報を指定する指定手段と、
前記選択手段で選択された印刷データを、前記指定手段で指定されたユーザ識別情報に対応するユーザが、前記印刷装置で印刷可能にするべく、前記選択手段で選択された印刷データの印刷データ識別情報と前記指定手段で指定されたユーザ識別情報とを前記印刷管理サーバに送信する情報送信制御手段と
を有することを特徴とする印刷装置。
【請求項１４】
印刷データと、当該印刷データの印刷が可能なユーザを識別するユーザ識別情報と当該印刷データを識別する印刷データ識別情報とを含む書誌情報を格納し、前記印刷データの印刷を行う複数の印刷装置と通信可能に接続された印刷管理サーバであって、
前記印刷装置で入力された入力情報によって得られるユーザ識別情報に従って、前記書誌情報から、前記ユーザ識別情報に対応するユーザが印刷可能な印刷データに関する印刷データ識別情報を含む前記印刷データの情報一覧を前記印刷装置に送信する送信制御手段と、
前記送信制御手段により送信した印刷データの情報一覧の中から前記印刷装置において選択された印刷データの前記印刷データ識別情報と、前記印刷装置において指定された当該印刷データの印刷を許可するユーザのユーザ識別情報と、を前記印刷装置から受信する受信制御手段と、
前記受信制御手段により受信した印刷データ識別情報に対応する印刷データを印刷することが可能なユーザとして、前記受信制御手段により受信したユーザ識別情報を前記書誌情報に登録する登録手段と
を有することを特徴とする印刷管理サーバ。
【請求項１５】
印刷データと、当該印刷データの印刷が可能なユーザを識別するユーザ識別情報と当該印刷データを識別する印刷データ識別情報とを含む書誌情報を格納する印刷管理サーバと、前記印刷データの印刷を行う複数の印刷装置とを含む印刷制御システムにおける印刷制御方法であって、
前記印刷装置において、
ユーザ識別情報を特定するために、入力された入力情報を受け付ける受付ステップと、
前記受付ステップで受け付けた入力情報によって得られるユーザ識別情報に従って、前記印刷管理サーバから、前記ユーザ識別情報に対応するユーザが印刷可能な印刷データに関する前記印刷データ識別情報を含む前記印刷データの情報一覧を取得する取得ステップと、
前記取得ステップで取得された印刷データの情報一覧で示される印刷データの中から、他のユーザに印刷させることを許可する印刷データを、操作部を介する操作指示に従って、選択する選択ステップと、
前記選択ステップで選択された印刷データの印刷を許可するユーザのユーザ識別情報を指定する指定ステップと、
前記選択ステップで選択された印刷データを、前記指定ステップで指定されたユーザ識別情報に対応するユーザが、前記複数の印刷装置で印刷可能にするべく、前記選択ステップで選択された印刷データの前記印刷データ識別情報と前記指定ステップで指定されたユーザ識別情報とを前記印刷管理サーバに送信する情報送信制御ステップとを行い、
前記印刷管理サーバにおいて、
前記印刷装置で入力された前記入力情報によって得られるユーザ識別情報に従って、前記書誌情報から、前記ユーザ識別情報に対応するユーザが印刷可能な印刷データに関する印刷データ識別情報を含む前記印刷データの情報一覧を前記印刷装置に送信する送信制御ステップと、
前記印刷装置から前記選択ステップで選択された印刷データの前記印刷データ識別情報と前記指定ステップで指定されたユーザ識別情報と、を受信する受信制御ステップと、
前記受信制御ステップにより受信した印刷データ識別情報に対応する印刷データを印刷することが可能なユーザとして、前記受信制御ステップにより受信したユーザ識別情報を前記書誌情報に登録する登録ステップと
を行うことを特徴とする印刷制御方法。
【請求項１６】
印刷データと、当該印刷データの印刷が可能なユーザを識別するユーザ識別情報と当該印刷データを識別する印刷データ識別情報とを含む書誌情報を格納する印刷管理サーバと、前記印刷データの印刷を行う複数の印刷装置とを含む印刷制御システムにおける印刷制御方法をコンピュータに実行させるためのプログラムであって、
前記印刷装置において、
ユーザ識別情報を特定するために、入力された入力情報を受け付ける受付ステップと、
前記受付ステップで受け付けた入力情報によって得られるユーザ識別情報に従って、前記印刷管理サーバから、前記ユーザ識別情報に対応するユーザが印刷可能な印刷データに関する前記印刷データ識別情報を含む前記印刷データの情報一覧を取得する取得ステップと、
前記取得ステップで取得された印刷データの情報一覧で示される印刷データの中から、他のユーザに印刷させることを許可する印刷データを、操作部を介する操作指示に従って、選択する選択ステップと、
前記選択ステップで選択された印刷データの印刷を許可するユーザのユーザ識別情報を指定する指定ステップと、
前記選択ステップで選択された印刷データを、前記指定ステップで指定されたユーザ識別情報に対応するユーザが、前記複数の印刷装置で印刷可能にするべく、前記選択ステップで選択された印刷データの印刷データ識別情報と前記指定ステップで指定されたユーザ識別情報とを前記印刷管理サーバに送信する情報送信制御ステップとをコンピュータに実行させ、
前記印刷管理サーバにおいて、
前記印刷装置で入力された前記入力情報によって得られるユーザ識別情報に従って、前記書誌情報から、前記ユーザ識別情報に対応するユーザが印刷出力可能な印刷データに関する前記印刷データ識別情報を含む前記印刷データの情報一覧を前記印刷装置に送信する送信制御ステップと、
前記印刷装置から前記選択ステップで選択された印刷データの前記印刷データ識別情報と前記指定ステップで指定されたユーザ識別情報と、を受信する受信制御ステップと、
前記受信制御ステップにより受信した印刷データ識別情報に対応する印刷データを印刷することが可能なユーザとして、前記受信制御ステップにより受信したユーザ識別情報を前記書誌情報に登録する登録ステップと
をコンピュータに実行させるためのプログラム。
【手続補正２】
【補正対象書類名】明細書
【補正対象項目名】０００８
【補正方法】変更
【補正の内容】
【０００８】
本発明は、印刷管理サーバに印刷データを格納しておき、印刷装置から受け付けたユーザ識別情報で印刷可能な印刷データの情報一覧を印刷装置に送信する印刷制御システムにおいて、印刷管理サーバに対して印刷データの出力を行ったユーザ以外の他のユーザであっても、印刷装置で当該印刷データの印刷出力を行うことができるように印刷装置の操作部で当該他のユーザを選択できる仕組みを提供することを目的とする。
【手続補正３】
【補正対象書類名】明細書
【補正対象項目名】０００９
【補正方法】変更
【補正の内容】
【０００９】
本発明の印刷制御システムは、印刷データと、当該印刷データの印刷が可能なユーザを識別するユーザ識別情報と当該印刷データを識別する印刷データ識別情報とを含む書誌情報を格納する印刷管理サーバと、前記印刷データの印刷を行う複数の印刷装置とを含む印刷制御システムであって、前記印刷装置は、ユーザ識別情報を特定するために、入力された入力情報を受け付ける受付手段と、前記受付手段で受け付けた入力情報によって得られるユーザ識別情報に従って、前記印刷管理サーバから、前記ユーザ識別情報に対応するユーザが印刷可能な印刷データに関する前記印刷データ識別情報を含む前記印刷データの情報一覧を取得する第１取得手段と、前記第１取得手段で取得された印刷データの情報一覧で示される印刷データの中から、他のユーザに印刷させることを許可する印刷データを、操作部を介する操作指示に従って、選択する選択手段と、前記選択手段で選択された印刷データの印刷を許可するユーザのユーザ識別情報を指定する指定手段と、前記選択手段で選択された印刷データを、前記指定手段で指定されたユーザ識別情報に対応するユーザが、前記複数の印刷装置で印刷可能にするべく、前記選択手段で選択された印刷データの印刷データ識別情報と前記指定手段で指定されたユーザ識別情報とを前記印刷管理サーバに送信する情報送信制御手段とを有し、前記印刷管理サーバは、前記印刷装置で入力された前記入力情報によって得られるユーザ識別情報に従って、前記書誌情報から、前記ユーザ識別情報に対応するユーザが印刷可能な印刷データに関する印刷データ識別情報を含む前記印刷データの情報一覧を前記印刷装置に送信する送信制御手段と、前記印刷装置から前記選択手段で選択された印刷データの前記印刷データ識別情報と前記指定手段で指定されたユーザ識別情報と、を受信する受信制御手段と、前記受信制御手段により受信した印刷データ識別情報に対応する印刷データを印刷することが可能なユーザとして、前記受信制御手段により受信したユーザ識別情報を前記書誌情報に登録する登録手段とを有する。
【手続補正４】
【補正対象書類名】明細書
【補正対象項目名】００１０
【補正方法】変更
【補正の内容】
【００１０】
本発明の印刷装置は、印刷データと、当該印刷データの印刷が可能なユーザを識別するユーザ識別情報と当該印刷データを識別する印刷データ識別情報とを含む書誌情報を格納する印刷管理サーバと通信可能に接続された印刷装置であって、ユーザ識別情報を特定するために、入力された入力情報を受け付ける受付手段と、前記受付手段で受け付けた入力情報によって得られるユーザ識別情報に従って、前記印刷管理サーバから、前記ユーザ識別情報に対応するユーザが印刷可能な印刷データに関する印刷データ識別情報を含む前記印刷データの情報一覧を取得する取得手段と、前記取得手段で取得された印刷データの情報一覧で示される印刷データの中から、他のユーザに印刷させることを許可する印刷データを、操作部を介する操作指示に従って、選択する選択手段と、前記選択手段で選択された印刷データの印刷を許可するユーザのユーザ識別情報を指定する指定手段と、前記選択手段で選択された印刷データを、前記指定手段で指定されたユーザ識別情報に対応するユーザが、前記複数の印刷装置で印刷可能にするべく、前記選択手段で選択された印刷データの印刷データ識別情報と前記指定手段で指定されたユーザ識別情報とを前記印刷管理サーバに送信する情報送信制御手段とを有する。
【手続補正５】
【補正対象書類名】明細書
【補正対象項目名】００１１
【補正方法】変更
【補正の内容】
【００１１】
本発明の印刷管理サーバは、印刷データと、当該印刷データの印刷が可能なユーザを識別するユーザ識別情報と当該印刷データを識別する印刷データ識別情報とを含む書誌情報を格納し、前記印刷データの印刷を行う複数の印刷装置と通信可能に接続された印刷管理サーバであって、前記印刷装置で入力された入力情報によって得られるユーザ識別情報に従って、前記書誌情報から、前記ユーザ識別情報に対応するユーザが印刷可能な印刷データに関する印刷データ識別情報を含む前記印刷データの情報一覧を前記印刷装置に送信する送信制御手段と、前記送信制御手段により送信した印刷データの情報一覧の中から前記印刷装置において選択された印刷データの前記印刷データ識別情報と、前記印刷装置において指定された当該印刷データの印刷を許可するユーザのユーザ識別情報と、を前記印刷装置から受信する受信制御手段と、前記受信制御手段により受信した印刷データ識別情報に対応する印刷データを印刷することが可能なユーザとして、前記受信制御手段により受信したユーザ識別情報を前記書誌情報に登録する登録手段とを有する。
【手続補正６】
【補正対象書類名】明細書
【補正対象項目名】００１２
【補正方法】変更
【補正の内容】
【００１２】
本発明の印刷制御方法は、印刷データと、当該印刷データの印刷が可能なユーザを識別するユーザ識別情報と当該印刷データを識別する印刷データ識別情報とを含む書誌情報を格納する印刷管理サーバと、前記印刷データの印刷を行う複数の印刷装置とを含む印刷制御システムにおける印刷制御方法であって、前記印刷装置において、ユーザ識別情報を特定するために、入力された入力情報を受け付ける受付ステップと、前記受付ステップで受け付けた入力情報によって得られるユーザ識別情報に従って、前記印刷管理サーバから、前記ユーザ識別情報に対応するユーザが印刷可能な印刷データに関する前記印刷データ識別情報を含む前記印刷データの情報一覧を取得する取得ステップと、前記取得ステップで取得された印刷データの情報一覧で示される印刷データの中から、他のユーザに印刷させることを許可する印刷データを、操作部を介する操作指示に従って、選択する選択ステップと、前記選択ステップで選択された印刷データの印刷を許可するユーザのユーザ識別情報を指定する指定ステップと、前記選択ステップで選択された印刷データを、前記指定ステップで指定されたユーザ識別情報に対応するユーザが、前記複数の印刷装置で印刷可能にするべく、前記選択ステップで選択された印刷データの前記印刷データ識別情報と前記指定ステップで指定されたユーザ識別情報とを前記印刷管理サーバに送信する情報送信制御ステップとを行い、前記印刷管理サーバにおいて、前記印刷装置で入力された前記入力情報によって得られるユーザ識別情報に従って、前記書誌情報から、前記ユーザ識別情報に対応するユーザが印刷可能な印刷データに関する印刷データ識別情報を含む前記印刷データの情報一覧を前記印刷装置に送信する送信制御ステップと、前記印刷装置から前記選択ステップで選択された印刷データの前記印刷データ識別情報と前記指定ステップで指定されたユーザ識別情報と、を受信する受信制御ステップと、前記受信制御ステップにより受信した印刷データ識別情報に対応する印刷データを印刷することが可能なユーザとして、前記受信制御ステップにより受信したユーザ識別情報を前記書誌情報に登録する登録ステップとを行う。
【手続補正７】
【補正対象書類名】明細書
【補正対象項目名】００１３
【補正方法】変更
【補正の内容】
【００１３】
本発明のプログラムは、印刷データと、当該印刷データの印刷が可能なユーザを識別するユーザ識別情報と当該印刷データを識別する印刷データ識別情報とを含む書誌情報を格納する印刷管理サーバと、前記印刷データの印刷を行う複数の印刷装置とを含む印刷制御システムにおける印刷制御方法をコンピュータに実行させるためのプログラムであって、前記印刷装置において、ユーザ識別情報を特定するために、入力された入力情報を受け付ける受付ステップと、前記受付ステップで受け付けた入力情報によって得られるユーザ識別情報に従って、前記印刷管理サーバから、前記ユーザ識別情報に対応するユーザが印刷可能な印刷データに関する前記印刷データ識別情報を含む前記印刷データの情報一覧を取得する取得ステップと、前記取得ステップで取得された印刷データの情報一覧で示される印刷データの中から、他のユーザに印刷させることを許可する印刷データを、操作部を介する操作指示に従って、選択する選択ステップと、前記選択ステップで選択された印刷データの印刷を許可するユーザのユーザ識別情報を指定する指定ステップと、前記選択ステップで選択された印刷データを、前記指定ステップで指定されたユーザ識別情報に対応するユーザが、前記複数の印刷装置で印刷可能にするべく、前記選択ステップで選択された印刷データの印刷データ識別情報と前記指定ステップで指定されたユーザ識別情報とを前記印刷管理サーバに送信する情報送信制御ステップとをコンピュータに実行させ、前記印刷管理サーバにおいて、前記印刷装置で入力された前記入力情報によって得られるユーザ識別情報に従って、前記書誌情報から、前記ユーザ識別情報に対応するユーザが印刷出力可能な印刷データに関する前記印刷データ識別情報を含む前記印刷データの情報一覧を前記印刷装置に送信する送信制御ステップと、前記印刷装置から前記選択ステップで選択された印刷データの前記印刷データ識別情報と前記指定ステップで指定されたユーザ識別情報と、を受信する受信制御ステップと、前記受信制御ステップにより受信した印刷データ識別情報に対応する印刷データを印刷することが可能なユーザとして、前記受信制御ステップにより受信したユーザ識別情報を前記書誌情報に登録する登録ステップとをコンピュータに実行させる。
【手続補正８】
【補正対象書類名】明細書
【補正対象項目名】００１４
【補正方法】変更
【補正の内容】
【００１４】
本発明によれば、印刷管理サーバに印刷データを格納しておき、印刷装置から受け付けたユーザ識別情報で印刷可能な印刷データの情報一覧を印刷装置に送信する印刷制御システムにおいて、印刷装置の操作部で、印刷管理サーバに対して印刷データの出力を行ったユーザ以外の他のユーザを選択することで、当該他のユーザが当該印刷データの印刷出力を行うことができる。